(57)【特許請求の範囲】
【請求項１】
図面データをコンピュータにより管理する図面管理方法であって、
図面データを、予め定められた複数の操作に対応するファイル形式を有する複数のファイルに変換する変換工程と、
前記変換工程により変換された複数のファイルに対し、統一した一つのファイル名及び複数のファイルの中から前記操作に対応するファイルを指定するためのファイル管理データ及びファイル管理テーブルを含む管理情報を付与するとともに、当該ファイル名及び管理情報のもとで前記複数のファイルを記録媒体に記録する登録工程と、
前記ファイル管理データに含まれるファイル名及び操作が指定されたときに、前記ファイル管理データで統一的に管理される個々のファイルに関する情報が含まれる前記ファイル管理テーブルを読み込み、必要に応じて当該操作を実行するためのソフトウェアを自動的に起動するとともに、前記記録媒体に記録した前記管理情報に基づいて当該ファイル名に対応する前記複数のファイルの中から当該操作に対応したファイルを前記記録媒体から読み出して、当該操作を実行させる工程と、
を具備することを特徴とする図面管理方法。
【請求項２】
前記操作には、編集及び高速閲覧の他に、詳細表示、出図、他のソフトウェアで扱えるファイル形式への変換のうち少なくとも一つが含まれていることを特徴とする請求項１記載の図面管理方法。
【請求項３】
前記図面データは、ＣＡＤソフトウェアによって作成されたものであることを特徴とする請求項１又は２記載の図面管理方法。
【請求項４】
前記変換工程は、前記ＣＡＤソフトウェア上で行われることを特徴とする請求項３記載の図面管理方法。
【請求項５】
前記図面データは、スキャナーによって読み込まれて得られたものであることを特徴とする請求項１又は２記載の図面管理方法。
【請求項６】
図面データを、予め定められた複数の操作に対応するファイル形式を有する複数のファイルに変換する変換機能と、
前記変換機能により変換された複数のファイルに対し、統一した一つのファイル名及び複数のファイルの中から前記操作に対応するファイルを指定するためのファイル管理データ及びファイル管理テーブルを含む管理情報を付与するとともに、当該ファイル名及び管理情報のもとで前記複数のファイルを記録媒体に記録する登録機能と、
前記ファイル管理データに含まれるファイル名及び操作が指定されたときに、前記ファイル管理データで統一的に管理される個々のファイルに関する情報が含まれる前記ファイル管理テーブルを読み込み、必要に応じて当該操作を実行するためのソフトウェアを自動的に起動するとともに、前記記録媒体に記録した前記管理情報に基づいて当該ファイル名に対応する前記複数のファイルの中から当該操作に対応したファイルを前記記録媒体から読み出して、当該操作を実行させる機能と、
をコンピュータに実行させるためのプログラムを記録したコンピュータ読み取り可能な記録媒体。
【請求項７】
前記操作には、編集及び高速閲覧の他に、詳細表示、出図、他のソフトウェアで扱えるファイル形式への変換のうち少なくとも一つが含まれていることを特徴とする請求項６記載の記録媒体。
【請求項８】
前記図面データは、ＣＡＤソフトウェアによって作成されたものであることを特徴とする請求項６又は７記載の記録媒体。
【請求項９】
前記変換機能は、前記ＣＡＤソフトウェア上で行われることを特徴とする請求項８記載の記録媒体。
【請求項１０】
前記図面データは、スキャナーによって読み込まれて得られたものであることを特徴とする請求項６又は７記載の記録媒体。
【発明の詳細な説明】
【０００１】
【発明の属する技術分野】
本発明は、ＣＡＤソフトウェアによって作成された図面、あるいはスキャナー等でコンピュータに読み込まれた図面を管理するための図面管理方法に関する。
【０００２】
【従来の技術】
ＣＡＤソフトウェアで作成され、保管されている図面データを、表示させたり、プロッタ等によって出図しようとする場合、各ＣＡＤソフトウェアは、それぞれ独自のファイルフォーマットを採用している場合が多いので、一般には、その図面を作成したＣＡＤソフトウェアを起動し、その中の機能を用いて、保管されているデータを読み出し、表示させたり出図を行うのが一般的である。
【０００３】
また、このような図面データを高速に閲覧したいという要請に応え、ＣＡＤソフトウェアで作成された図面データに基づいて、これを自動的にビットマップフォーマットのデータに変換するＣＡＤソフトウェアもある。この場合、このビットマップデータを、元のデータとは別に保管しておき、必要に応じて他のソフトウェアでこのビットマップフォーマットの図面データを読みだして、高速閲覧に供することも行われている。
【０００４】
【発明が解決しようとする課題】
前述のように、これまでは、ＣＡＤソフトウェアで作成された図面データについては、ビットマップフォーマットの図面データを除くと、そのＣＡＤソフトウェア独自のファイルフォーマットに基づく一つのファイルだけしかなかったので、図面データの表示や、プロッタ等による出図を行う場合には、そのＣＡＤソフトウェアをわざわざ立ち上げる必要があった。また、例えば１０種類の図面データをプロッタで出図しようとする場合でも、ＣＡＤソフトウェア上では、ファイルを一つずつ指定するしかなく、一つの図面データの出図が終了する度に、次のファイルを指定し、出図させるという作業をオペレータが延々と行わなければならなかった。
【０００５】
更に、従来は、作成された図面データが、その図面データを作成したＣＡＤソフトウェアと密接に関連しているため、例えば、図面データを市販のビュワーソフトウェアを用いて詳細表示したり、プロッタによって出図したり、他のＣＡＤソフトウェアで取り扱うことのできるデータへフォーマット変換をしたりする場合には、元のＣＡＤソフトウェアを起動し、このＣＡＤソフトウェア上の機能を介して行わなければならない。このため、操作性が悪く、操作を熟知していないオペレータが扱いにくいという問題があった。
【０００６】
本発明は、上記事情に基づいてなされたものであり、図面データを、その図面データを作成するのに用いたＣＡＤソフトウェアと切り離して汎用的に管理でき、当該ＣＡＤソフトウェアを介さずに表示、出図等の操作を行うことを可能にする図面管理方法を提供することを目的とする。
【０００７】
【課題を解決するための手段】
上記の目的を達成するための本発明に係る図面管理方法は、図面データをコンピュータにより管理する図面管理方法であって、図面データを、予め定められた複数の操作に対応するファイル形式を有する複数のファイルに変換する変換工程と、前記変換工程により変換された複数のファイルに対し、統一した一つのファイル名及び複数のファイルの中から前記操作に対応するファイルを指定するためのファイル管理データ及びファイル管理テーブルを含む管理情報を付与するとともに、当該ファイル名及び管理情報のもとで前記複数のファイルを記録媒体に記録する登録工程と、前記ファイル管理データに含まれるファイル名及び操作が指定されたときに、前記ファイル管理データで統一的に管理される個々のファイルに関する情報が含まれる前記ファイル管理テーブルを読み込み、必要に応じて当該操作を実行するためのソフトウェアを自動的に起動するとともに、前記記録媒体に記録した前記管理情報に基づいて当該ファイル名に対応する前記複数のファイルの中から当該操作に対応したファイルを前記記録媒体から読み出して、当該操作を実行させる工程と、を具備することを特徴とする。
【０００８】
上記の目的を達成するための本発明に係るコンピュータ読み取り可能な記録媒体は、図面データを、予め定められた複数の操作に対応するファイル形式を有する複数のファイルに変換する変換機能と、前記変換機能により変換された複数のファイルに対し、統一した一つのファイル名及び複数のファイルの中から前記操作に対応するファイルを指定するためのファイル管理データ及びファイル管理テーブルを含む管理情報を付与するとともに、当該ファイル名及び管理情報のもとで前記複数のファイルを記録媒体に記録する登録機能と、前記ファイル管理データに含まれるファイル名及び操作が指定されたときに、前記ファイル管理データで統一的に管理される個々のファイルに関する情報が含まれる前記ファイル管理テーブルを読み込み、必要に応じて当該操作を実行するためのソフトウェアを自動的に起動するとともに、前記記録媒体に記録した前記管理情報に基づいて当該ファイル名に対応する前記複数のファイルの中から当該操作に対応したファイルを前記記録媒体から読み出して、当該操作を実行させる機能と、をコンピュータに実行させるためのプログラムを記録したものであることを特徴とする。
【０００９】
本発明によれば、元の図面データから変換された複数のファイルに対して統一した一つのファイル名及び管理情報を付与して登録するので、管理が容易になり、また、登録されたファイル名及び操作が指定されたときに、必要に応じて当該操作を実行するためのソフトウェアを起動するとともに、当該ファイル名に対応する前記複数のファイルの中から当該操作に対応したファイルを読み出して、当該操作を実行させるので、オペレータは当該操作について特別の知識を必要としない。
【００１０】
【発明の実施の形態】
以下に図面を参照して、本発明の実施の形態について説明する。
ＣＡＤソフトウェアを用いて図面データが作成されると、この図面データは、各種の用途に利用される。もっとも基本的なものは、作成された図面データを、同じＣＡＤソフトウェアを使って編集し、修正して別の図面データを作成するというものである。なお、本明細書では、元のＣＡＤソフトウェアを用いて行う図面データの修正なども、編集というものとする。
【００１１】
また、その他に、図面データを、市販のビュワーソフトウェアを用いて詳細表示させたり、プロッタ等を用いて紙に出図したり、ビットマップデータに変換して高速閲覧を可能にしたり、あるいは別のＣＡＤソフトウェアが取り扱うことができるようファイルフォーマットを変換したいという場合がある。ここで、「詳細表示」とは、高速閲覧が大まかな内容しか見られないのに対し、図面の内容は変えないでその詳細を見たいという場合に行う処理である。
【００１２】
ＣＡＤソフトウェアを立ち上げれば、編集可能な状態となる。したがって、その図面データが格納されている記憶媒体からその図面データを読みだせば、直ちに編集を行うことができる。他の操作、すなわち、前述の高速閲覧、詳細表示、出図、変換等に関しては、ＣＡＤソフトウェア上だけでは実行することはできない。
【００１３】
そこで、本実施形態の図面管理ツールでは、ＣＡＤソフトウェアで作成された図面データを指定して、図面管理ツールに登録するという作業を行う。オペレータが、登録する旨を指示すると、図面管理データは、指定された図面データについて、高速閲覧用のビットマップデータの作成、プロッタで出図するための出図用ファイルの作成、詳細表示用ファイルの作成、他のＣＡＤソフトウェア用のデータに変換するための変換用ファイルの作成も、併せて行う。そして、これら複数のファイルを一つのまとまりとして一緒に登録し、管理する。これらの各種操作を行うためのそれぞれのファイルを、ここでは「管理ファイル」と呼ぶ。なお、本実施形態の図面管理ツールは、ＣＡＤソフトウェアで作成したベクトル形式の図面データだけでなく、スキャナー等を用いて読み込んだラスター形式の図面データについても、同様に管理できるようにする。
【００１４】
ＣＡＤソフトウェアによっては、そのＣＡＤソフトウェアで作成した図面データに基づいて、高速閲覧用のビットマップデータの作成、プロッタで出図するための出図用ファイルの作成、詳細表示用ファイルの作成、他のＣＡＤソフトウェア用のデータに変換するための変換用ファイルの作成を実行することができるものがある。そのようなＣＡＤソフトウェアで作成した図面を本実施形態の図面管理ツールに登録する場合には、この登録作業は、当該ＣＡＤソフトウェアが稼働しているときに行い、前述の各種管理ファイルをＣＡＤソフトウェアに作成させる。これにより、作業効率を向上させることができる。但し、他のＣＡＤソフトウェアで扱うことのできるファイルフォーマットへの変換は必須ではなく、これは含めても含めなくてもいい。
【００１５】
従来は、ＣＡＤソフトウェアで図面を作成したときにできるファイルとしては、当該ＣＡＤソフトウェアの編集用のデータと、これを高速閲覧するためのビットマップデータだけだった。これらが、いわば元のデータとなる。すなわち、元のデータだけを管理すると、編集用の表示及び高速閲覧しかできなかった。これに対して、本実施形態では、四つのデータを一緒に登録するようにした。
【００１６】
ところで、現状でも、高速閲覧用のビットマップデータを除き、三つのファイルを別々に登録して管理するということも可能である。しかし、その場合には、それぞれのファイルは相互に独立したものとなり、ファイルに関する情報も各ファイルごとに必要となるため、取扱いに不便な面がある。つまり、ある一つの図面データに基づいて、相互に関連のない新たなファイルが三つでき、オペレータが図面データに対して何か操作（詳細表示、出図など）を実行したいという場合には、オペレータがファイルの内容を熟知していないと、実行しようとする操作に対してどのファイルを使えばよいか分からないという事態も想定される。
【００１７】
そこで、本実施形態の図面管理ツールでは、元の図面データに基づいて作成される四つのファイルは、それぞれ別々の四つのファイルであるが、これらを統合して管理するための管理情報を一つ作る。そして、あとは、それぞれのファイルは、用途によって自動的に使い分けることができるように、複数のファイルを、用途によって一つの管理情報に結び付け、一元的に管理する。この「一つのファイル名」というのは、管理上のファイル名のことを指し、この管理情報で管理される個々のファイル（すなわち管理ファイル）のファイル名のことではない。
【００１８】
ユーザーが、この管理用データの上で、一つのファイル名を指定し、かつ、どういう操作をしたいかを指定すると、本実施形態の図面管理ツールは、その操作に対応するアプリケーションソフトウェアをまず起動し、続いて、その操作に対応したファイルを自動的にそのアプリケーションソフトウェア上に読み出す。したがって、ユーザーは、ある操作を実行しようとするときに、そのためにどういうファイルが必要かを知っておく必要はなく、パーソナルコンピュータの操作に不慣れな者でも、簡単に操作することができる。
【００１９】
たとえば、プロッタに出図する場合であれば、元となるＣＡＤソフトウェアの図面データと、「出図」という操作を指定するだけで、プロッタ用のファイルがデータが自動的に読みだされ、プロッタへと出力される。このため、ユーザーであるオペレータは、それぞれの操作についてどういう種類のファイルを扱わなければならないかを知っておく必要はなく、単にＣＡＤソフトウェアのデータを扱っているという認識だけで十分である。「詳細表示」、「編集」、「変換」についても同様である。
【００２０】
従来は、各用途ごとに別個独立のファイルだったので、各用途に応じて対応するファイルを個別に取り扱う必要があった。
「編集」、「詳細表示」、「出図」、「変換」の各操作を行うためのファイルは、それぞれファイルの種類が異なる。これらはファイルの識別子（ＷｉｎｄｏｗｓやＭＳ−ＤＯＳの場合には「拡張子」）で識別される。広く用いられているＣＡＤソフトウェアである「Ａｕｔｏ−ＣＡＤ」（オートデスク社製）の場合、作成される図面データのファイルの拡張子は「．ＤＷＧ」である。したがって、このＣＡＤソフトウェアで作成された図面データを、本実施形態の図面管理ツールに登録する場合には、「編集」用ファイルの拡張子は「．ＤＷＧ」となる。
【００２１】
また、ＣＡＤソフトウェアがＡｕｔｏ−ＣＡＤの場合、本実施形態では、「詳細表示」用ファイルの拡張子は「．ＨＰ」、「出図」用ファイルの拡張子は「．ＨＰ」、「変換」用ファイルの拡張子は「．ＤＸＦ」とする。ここで、「．ＤＸＦ」ファイルは、Ａｕｔｏ−ＣＡＤのコンバート用のファイル、すなわち中間ファイルであり、現在、事実上の標準となっているファイル形式である。このファイル形式をサポートすることによって、略すべての他のＣＡＤソフトウェアが扱うことができるファイルフォーマットにコンバートすることができる。
【００２２】
図１（ａ）は、Ａｕｔｏ−ＣＡＤというＣＡＤソフトウェアで作成された図面データを、本実施形態の図面管理ツールに登録するときに作成される上記四つのファイルに対して付与されるファイル管理データである。このファイル管理データは、上記四つのファイルを作成するときに、併せて自動的に作成される。本実施形態の図面管理ツールへの登録作業を行うと、図１（ａ）に示すファイル管理データが自動的に作成される。この中には、ＩＤ番号、ファイル名、ファイルタイプ、管理情報（例えば初期登録日、更新日、作成日時など）が含まれる。この場合のファイル名としては、編集用の「．ＤＷＧ」ファイルの拡張子を除いた部分が、自動的に管理用のファイル名として用いられる。ただし、ユーザーが別のファイル名を与えることもできる。
【００２３】
また、図面データの登録作業を行うと、図１（ａ）のファイル管理データの他に、図１（ｂ）又は図１（ｃ）に示すようなファイル管理テーブルも自動的に作成される。図１（ｂ）は、ファイルタイプ１のファイル管理テーブルであり、図１（ｃ）はファイルタイプ２のファイル管理テーブルである。ファイル管理テーブルには、図１（ａ）に示すファイル管理データで統一的に管理される四つの個々のファイル（管理ファイル）に関する情報が含まれている。具体的には、ＩＤ番号、そのファイルがどういう種類のファイルか、そして、拡張子を含む実際のファイル名（実ファイル名）である。
【００２４】
ここで、ファイルタイプの種類とは、元の図面データを作成したソフトウェアが異なる場合に、どういうファイル形式のファイルに変換するかを指定するものである。すなわち、図１（ｂ）は、元の図面データが、例えばＡｕｔｏ−ＣＡＤ（商品名）というソフトウェアで作成されたものである場合のファイル管理テーブルであり、その実ファイル名に示されているファイル名の拡張子によって変換後のファイルの種類が規定される。これに対し、図１（ｃ）は、元の図面データが他のソフトウェアで作成されたものである場合のファイル管理テーブルであるが、その実ファイル名に示されているファイル名の拡張子によって変換後のファイルの種類は、図１（ｂ）の場合と異なっている。ファイルタイプの種類は、これらを識別する。
【００２５】
ファイル管理データとファイル管理テーブルがあれば、図面管理ツールは、オペレータから、どのファイルについてどういう操作を行いたいかという指示があれば、自動的に所望の操作を自動的に実行することができる。
オペレータが、ある図面データに対して何らかの操作を行いたいときは、その操作の名前と、図１（ａ）のファイル管理データのファイル名を指定すればよい。すると、本実施形態の図面管理ツールが、図１（ｂ）のファイル管理テーブルの内容を読んで、指定された操作に対応するファイルを認識し、そのファイルの操作にアプリケーションソフトウェアが必要な場合には、それに対応したソフトウェアを起動し、そのソフトウェアに当該ファイルを読み込ませる。たとえば、「編集」という操作のときは、それに対応したＣＡＤソフトウェアであるＡｕｔｏ−ＣＡＤを立ち上げ、自動的にこの「．ＤＷＧ」ファイルを読み込ませ、「詳細表示」という操作のときには、それに対応したアプリケーションソフトウェアを立ち上げ、「．ＨＰ」ファイルを読み込ませ、「出図」という操作のときには、そのままプロッタに対して「．ＨＰ」ファイルを出力し、そして、「変換」という操作のときには、変換する先のファイルフォーマットに対応した変換ソフトウェアを立ち上げ、「．ＤＸＦ」ファイルを読み込ませて変換させる。
【００２６】
このように、予め本実施形態の図面管理ツールに登録してしまえば、あるファイルと、行いたい操作を指定すれば、四つのファイルを一つのまとまりとして登録されているものの中から、必要があればその操作に関連するソフトウェアを立ち上げ、その操作に必要なファイルを読み込ませ、そして、ＣＡＤソフトウェアを介在させることなく、自動的に各種の操作を行うことができる。このため、オペレータが行わなければならない操作が少なくなり、オペレータの手間が軽減されるとともに、処理も速くなるという利点が得られる。
【００２７】
ところで、出図を例にとると、本実施形態では、出図を選択し、図面管理ツールのファイル管理データ上で、出図するファイルを例えば１０個選べば、その１０個のファイルを自動的に出図させることができる。これに対して、従来も、例えば出図するファイルを指定することにより、自動的にＣＡＤソフトを立ち上げ、その中の機能を使って自動的にファイルを出図する機能を有するものもあった。しかしながら、前述のように時間がかかるとともに、その際に指定できるファイルは一つだけであり、その一つのファイルデータを複数出図することはできたが、本実施形態のように、複数のファイルデータを一度に指定して出図することはできなかった。その場合には、ユーザーが一つ一つのファイルごとに出図操作を実行する必要があり、手間がかかっていた。また、ユーザーがＣＡＤソフトに関する詳細な操作手順を覚える必要もあった。変換や詳細表示についても同様である。したがって、本実施形態によれば、操作性が大幅に向上し、ユーザーの負担も軽減される。
【００２８】
本実施形態の図面管理ツールは、元のデータがＣＡＤソフトウェアで作成されたベクトル形式のデータだけでなく、スキャナー等から読み込まれたラスター形式のデータも扱うことができる。ＣＡＤソフトウェアの種類も特定のものに限定されず、色々なＣＡＤソフトウェアに対応させることができる。そのために、これらの図面データを、本実施形態の図面管理ツールの画面上に一旦読みだして、それを本実施形態のソフトである図面管理システムに「登録」するという作業を行う。これにより、図面管理ツールが識別子を見て、それがどんなデータかを識別し、それぞれの操作を行うことができるようなファイルフォーマットに変換する。
【００２９】
次に、一例として、ＣＡＤソフトウェアで作成された、又はスキャナー等から読み込まれた図面データを本実施形態の図面管理ツールに登録する作業を詳しく説明する。図２は、この登録作業の手順を示したフローチャートである。
オペレータが、本実施形態の図面管理ツールに登録しようとして、ＣＡＤソフトウェアで作成された図面データのファイルを指定すると、図面管理ツールは、Step１０において、そのファイルの名前を認識する。この場合、図面管理ツールは、拡張子を見て、そのファイルがどういうＣＡＤソフトウェアで作成されたデータか、あるいはスキャナー等で取り込まれたデータであるか等を識別する。そして、その登録しようとするファイルのファイル名から拡張子をとった部分を図面管理ツールが取得し、これを管理用のファイル名とする。ただし、前述のように、必要があれば、オペレータが付与した別の名称を管理用のファイル名とすることもできる。
【００３０】
次に、Step１１において、ファイルタイプを指定する。これは、オペレータが指定するのでなく、デフォルトで自動的に指定されるようにしてもよい。
次に、Step１２において、オペレータが指定したファイルを、前述の「詳細表示」用の「．ＨＰ」ファイル、「出図」用の「．ＨＰ」ファイル、「変換」用の「．ＤＸＦ」ファイルにそれぞれ変換する。なお、「編集」用ファイルについては、元のデータである「．ＤＷＧ」ファイルをそのまま使用するので、特に変換の必要はない。
【００３１】
Step１２の変換処理は、本実施形態の図面管理ツールにおいて行うものと、ＣＡＤソフトウェアに行わせるものとがある。ＣＡＤソフトウェアがＡｕｔｏ−ＣＡＤの場合、その中に前述の各種ファイル形式に変換する機能を有しているので、元のデータがこのＣＡＤソフトウェアからのものであれば、すべてのファイル形式の変換はＣＡＤソフトウェアに行わせる。一方、例えば、スキャナーで読み込んだデータの場合には、本実施形態の図面管理ツールにおいて変換を行う。図には示していないが、この判断も、本実施形態の図面管理ツールが、元のデータのファイル名の拡張子を見てその内部で行い、その結果、外部のアプリケーションソフトウェア（今の場合であれば、Ａｕｔｏ−ＣＡＤ）で変換するべきと判断したものについては、そのアプリケーションソフトウェアを自動的に起動して、ファイル形式を変換させる。一方、図面管理ツールが自分で変換しなければならないと判断したものについては、自動的に自分で変換する。
【００３２】
このようなファイル変換を行ったら、Step１３で登録する。この登録の際には、図１（ａ）に示したファイル管理データ、並びに図１（ｂ）又は図１（ｃ）に示したファイル管理テーブルを作成する。
図３は、本実施形態の図面管理ツールが、図面データのファイル形式の変換を、ＣＡＤソフトウェアに行わせるときの処理手順を示したフローチャートである。図面管理ツールにおいて、「登録」という処理の実行を指定すると（Step２０）、ＣＡＤソフトウェアに組み込まれているプリンタ用のドライバを、登録用ファイルを生成するドライバソフトウェアと切り替える（Step２１）。このドライバソフトウェアは、入力部分に関しては、通常のプリンタ用ドライバと同じであるが、ＣＡＤソフトウェアから得られたデータを、例えば高速閲覧用のビットマップデータに変換して出力し、これを、プリンタに送るのではなく、図面管理ツールに渡すという役割を果たす。
【００３３】
このようにしても、ＣＡＤソフトウェアは、通常の場合にプリンタに印刷データを送るときと同様にデータを出力するので、ＣＡＤソフトウェア上で通常通り印刷を実行するマクロを作っておけば、ＣＡＤソフトウェアに印刷指定することによって、簡単に自動的に所望の登録用ファイルを得ることができる。
同様に、ＣＡＤソフトウェアから得られたデータを詳細表示用の「．ＨＰ」ファイル、出図用の「．ＨＰ」ファイル、変換用の「．ＤＸＦ」ファイルに変換するためのドライバソフトウェアが用意されている。
【００３４】
プリンタドライバの切り替えが行われたら、ＣＡＤソフトウェアを起動し（Step２２）、変換先のデータのファイル形式がビットマップ形式であれば、ビットマップ形式に変換する（Step２３）。他のファイル形式に変換する場合も同様である。そして、このように変換されたデータを図面管理ツールが取得し（Step２４）、前述のようなファイル管理データ、並びにファイル管理テーブルを作成して登録する。
【００３５】
なお、本発明は、上記実施形態に限定されるものではなく、その要旨の範囲内で種々の変更が可能である。
次に、本発明の記録媒体について説明する。本発明の記録媒体には、コンピュータに読み取られ、当該コンピュータを前述のような図面管理ツールとして動作させるためのコンピュータプログラムが記録されている。このコンピュータプログラムがコンピュータに読み込まれると、コンピュータは、その内部に備えた主記憶装置、補助記録装置、中央処理装置などを、前述のファイル形式の変換、ファイル管理データ及びファイル管理テーブルの作成等の機能を実行させるように動作する。このように、本発明は、コンピュータプログラムとして供給することができる。また、記録媒体としては、フロッピーディスク、ＣＤ−ＲＯＭ、光磁気ディスク、磁気テープ、半導体記録装置などを用いることができる。
【００３６】
【発明の効果】
以上説明したように、図面データの登録という作業によって、元の図面データに基づいて、複数のファイルを作成し、これらをまとめて一つのファイル名等の管理情報に結び付け、オペレータが所望する操作の種類によって必要なファイルを自動的に取り出して使用することができるようにしたので、複数のファイルを統一的に管理することが可能となり、管理が容易になる。
【００３７】
また、例えばプロッタによる出図を例に取ると、予め出図したいファイルの種類を任意の数だけ指定しておけば、あとは、その図面データを作成したＣＡＤソフトウェアを介することなく、自動的に指定したファイルを出図できるので、ファイルの種類ごとにその図面データを読みだすという従来必要だった手間が不要となり、短時間で出図という操作を行うことが可能となり、また、ユーザーに複雑な操作も要求されないので、ユーザーの負担が軽減され、ＣＡＤソフトウェアの操作に習熟していない者でも簡単に処理することができる。
【００３８】
また、登録という作業を行うことにより、その図面データを作成した元のデータの種類によらず、統一的に管理し、必要に応じて編集、出図、詳細表示、変換といった操作を行うことが可能となる。
【図面の簡単な説明】
【図１】（ａ）は、図面管理ツールによって自動生成されるファイル管理データ、（ｂ）及び（ｃ）はファイル管理テーブルを示した図である。
【図２】登録作業の手順を示したフローチャートである。
【図３】図面データのファイル形式の変換をＣＡＤソフトウェアに行わせるときの処理手順を示したフローチャートである。
【図１】
0004072629.tif 000002
【図２】
0004072629.tif 000003
【図３】
0004072629.tif 000004